(57)【要約】【課題】収納部とは別に収納スペースを確保すると共に、収納部への乗降を容易に行うこと。【解決手段】車体フレームの上方において、運転部と収容部を前後に位置させて設ける一方、車体フレームの下方において、前車輪と後車輪とを前後に位置させて設けた特装車両であって、車体フレームの下方には、後車輪の直前方と直後方にそれぞれ前下側収容部と後下側収容部を配設して、これら前・後下側収容部にはそれぞれ下端縁部を枢支した側壁体を設けると共に、各側壁体は各収容部を閉蓋する起立状態の閉蓋姿勢と、下端縁部を中心に外側方へ略水平位置まで開蓋させた開蓋姿勢とに姿勢変更自在となし、後車輪の略上半部の周縁部は、側面視略門型に形成した後車輪カバー体で被覆すると共に、同後車輪カバー体は起立状態の被覆姿勢と、下部を中心に外側方へ略水平位置まで開放させた非被覆姿勢とに姿勢変更自在となし、開蓋姿勢の前記側壁体の上面と非被覆姿勢の上記後車輪カバー体の上面は、略面一のステップ面となした。【選択図】図１
2010029538.tif 000002
【特許請求の範囲】
【請求項１】
車体フレームの上方において、運転部と収容部を前後に位置させて設ける一方、車体フレームの下方において、前車輪と後車輪とを前後に位置させて設けた特装車両であって、
車体フレームの下方には、後車輪の直前方と直後方にそれぞれ前下側収容部と後下側収容部を配設して、これら前・後下側収容部にはそれぞれ下端縁部を枢支した側壁体を設けると共に、各側壁体は各収容部を閉蓋する起立状態の閉蓋姿勢と、下端縁部を中心に外側方へ略水平位置まで開蓋させた開蓋姿勢とに姿勢変更自在となし、
後車輪の略上半部の周縁部は、側面視略門型に形成した後車輪カバー体で被覆すると共に、同後車輪カバー体は起立状態の被覆姿勢と、下部を中心に外側方へ略水平位置まで開放させた非被覆姿勢とに姿勢変更自在となし、
開蓋姿勢の前記側壁体の上面と非被覆姿勢の上記後車輪カバー体の上面は、略面一のステップ面となしたことを特徴とする特装車両。
【請求項２】
非被覆姿勢の後車輪カバー体の上面は、後車輪側に拡張自在のステップ面となしたことを特徴とする請求項１記載の特装車両。
【発明の詳細な説明】
【技術分野】
【０００１】
本発明は、消防車両等の特装車両に関する。
【背景技術】
【０００２】
従来、消防車両等の特装車両は、運転部の後方に収納部を配設して、同収納部に消防器材等を収納している。そして、収納部は、少なくとも左右側壁を開閉自在として、左右側方から消防機材等を出し入れ自在としている。しかも、収納部には、昇降連結機構を介してステップ部を出し入れ自在に設けて、取り出したステップ部を介して収納部への乗降が容易に行えるようにしている（例えば、特許文献１参照）。
【特許文献１】特開平９−１６８６０７号公報
【発明の開示】
【発明が解決しようとする課題】
【０００３】
ところが、ステップ部は、取り出して降下させた状態では収納部への乗降が容易となるように、前後幅を大きくして地上高を低くする必要性があるが、その分、ステップ部と昇降連結機構が大型化して収納部におけるこれらの収納スペースが大きくなるという不具合がある。
【課題を解決するための手段】
【０００４】
そこで、本発明では、車体フレームの上方において、運転部と収容部を前後に位置させて設ける一方、車体フレームの下方において、前車輪と後車輪とを前後に位置させて設けた特装車両であって、車体フレームの下方には、後車輪の直前方と直後方にそれぞれ前下側収容部と後下側収容部を配設して、これら前・後下側収容部にはそれぞれ下端縁部を枢支した側壁体を設けると共に、各側壁体は各収容部を閉蓋する起立状態の閉蓋姿勢と、下端縁部を中心に外側方へ略水平位置まで開蓋させた開蓋姿勢とに姿勢変更自在となし、後車輪の略上半部の周縁部は、側面視略門型に形成した後車輪カバー体で被覆すると共に、同後車輪カバー体は起立状態の被覆姿勢と、下部を中心に外側方へ略水平位置まで開放させた非被覆姿勢とに姿勢変更自在となし、開蓋姿勢の前記側壁体の上面と非被覆姿勢の上記後車輪カバー体の上面は、略面一のステップ面となしたことを特徴とする特装車両を提供するものである。
【０００５】
また、非被覆姿勢の後車輪カバー体の上面は、後車輪側に拡張自在のステップ面となしたことにも特徴を有する。
【発明の効果】
【０００６】
（１）請求項１記載の本発明では、車体フレームの上方において、運転部と収容部を前後に位置させて設ける一方、車体フレームの下方において、前車輪と後車輪とを前後に位置させて設けた特装車両であって、車体フレームの下方には、後車輪の直前方と直後方にそれぞれ前下側収容部と後下側収容部を配設して、これら前・後下側収容部にはそれぞれ下端縁部を枢支した側壁体を設けると共に、各側壁体は各収容部を閉蓋する起立状態の閉蓋姿勢と、下端縁部を中心に外側方へ略水平位置まで開蓋させた開蓋姿勢とに姿勢変更自在となし、後車輪の略上半部の周縁部は、側面視略門型に形成した後車輪カバー体で被覆すると共に、同後車輪カバー体は起立状態の被覆姿勢と、下部を中心に外側方へ略水平位置まで開放させた非被覆姿勢とに姿勢変更自在となし、開蓋姿勢の前記側壁体の上面と非被覆姿勢の上記後車輪カバー体の上面は、略面一のステップ面となしている。
【０００７】
このように、後車輪の直前方と直後方にそれぞれ前下側収容部と後下側収容部を配設しているため、収納部とは別に収納スペースを確保することができる。しかも、略水平位置まで開蓋させた開蓋姿勢に姿勢変更となした前・後下側収納部の側壁体と、下部を中心に外側方へ略水平位置まで開放させた非被覆姿勢に姿勢変更となした後車輪カバー体は、それぞれの上面を略面一のステップ面となしているため、各ステップ面を介して収納部への乗降を容易に行うことができる。この際、各ステップ面は地上高を低く設定することができるため、この点からも収納部への乗降を容易化することができる。しかも、各ステップ面は略面一であるため、各ステップ面上での移動を安全にかつ楽に行うことができて、これらステップ面上での作業、すなわち、収納部への消防機材等の出し入れを効率良く行うことができる。
【０００８】
（２）請求項２記載の本発明では、非被覆姿勢の後車輪カバー体の上面は、後車輪側に拡張自在のステップ面となしている。
【０００９】
このように、後車輪カバー体のステップ面を拡張自在となしているため、同後車輪カバー体のステップ面上での移動や作業の安全性を良好に確保することができる。その結果、収納部への消防機材等の出し入れ効率も良好に確保することができる。
【発明を実施するための最良の形態】
【００１０】
以下に本発明の最良の実施形態について図面を参照しながら説明する。
【００１１】
図１（ａ）は本発明に係る特装車両Ａの平面説明、図１（ｂ）は同特装車両Ａの側面図、図１（ｃ）は同特装車両Ａの後側下部の側面説明図である。
【００１２】
特装車両Ａは、図１に示すように、車体フレーム１の上方において、前部に運転部２を設けると共に後部に収容部３を設ける一方、車体フレーム１の下方において、前部に前車輪４を設けると共に後部に後車輪５を設けている。収納部３は、前後方向に縦長の箱型に形成し、左右側に開閉シャッター６,６を上下方向に開閉自在に設けている。そして、収納部３内には、消防機材等を収容している。７は昇降作業部である。
【００１３】
車体フレーム１の下方には、後車輪５の直前方と直後方にそれぞれ位置させて、箱形に形成した前下側収容部８と後下側収容部９を配設している。そして、図２及び図３にも示すように、これら前・後下側収容部８,９の外側部は、それぞれ外側方が開口する収納部本体１０,１１と、各収納部本体１０,１１の下端縁部１０ａ,１１ａに枢支体１４,１５を介して側壁体１２,１３の下端縁部１２ａ,１３ａを枢支している。このようにして、各側壁体１２,１３は各収容部本体１０,１１の外側方を閉蓋する起立状態の閉蓋姿勢と、下端縁部を中心に外側方へ略水平位置まで開蓋させた開蓋姿勢とに姿勢変更自在となしている。１６,１７は、それぞれ側壁体１２,１３の外側面上部に取り付けた取っ手兼閉蓋固定部であり、各取っ手兼閉蓋固定部１６,１７を手前に引くことにより、各側壁体１２,１３の固定が解除されると共に開蓋することができるようにしている。
【００１４】
また、枢支体１４は、図２及び図３に示すように、収容部本体１０の下側外側縁部の下面に取り付けた本体側枢支片１４ａと、側壁体１２の下端縁部に取り付けた側壁体側枢支片１４ｂと、前後方向に伸延してこれら枢支片１４ａ,１４ｂ同士を回動自在に連結する枢支ピン１４ｃと、同枢支ピン１４ｃの外周面に巻回して両端をそれぞれ枢支片１４ａ,１４ｂに係止したコイルスプリング１４ｄとから形成している。このようにして、コイルスプリング１４ｄにより側壁体１２を閉蓋する方向に弾性付勢させて、同側壁体１２の自重とバランスさせることにより、同側壁体１２の開閉作動が楽に行えるようにしている。１８は側壁体１２の下端面に当接して、同側壁体１２を略水平に開蓋させた状態に保持するストッパーである。なお、枢支体１５も上記した枢支体１４と同様に形成している。
【００１５】
前下側収容部８と後下側収容部９との間には、後車輪５を配設するためのタイヤハウス１９を形成して、同後車輪５の略上半部の周縁部は、図４及び図５に示すように、側面視略門型に形成した後車輪カバー体２０で被覆している。そして、後車輪カバー体２０は、前記した収容部本体１０の後壁下部と、収容部本体１１の前壁下部との間に左右一対の枢支アーム２１,２１を介して下部２０ａを枢軸２２,２２により枢支している。このようにして、後車輪カバー体２０は起立状態の被覆姿勢と、枢軸２２,２２を中心に枢支アーム２１,２１を介して下部２０ａを外側方へ略水平位置まで開放させた非被覆姿勢とに姿勢変更自在となしている。しかも、車体フレーム１に取り付けて被覆姿勢の後車輪カバー体２０を受ける受け体２３と、枢支アーム２１と間には、上・下部ブラケット２４,２５を介して上下方向に伸縮作動するガススプリング２６を介設して、同ガススプリング２６の伸長速度又は圧縮速度をコントロールして、後車輪カバー体２０をスムーズに開閉蓋させることができると共に安全性を確保することができるようにしている。
【００１６】
ここで、後車輪カバー体２０は、後車輪５からの泥除け機能と後車輪５へのタイヤチェーン装着可能な露出度と後車輪５への安全対策とを考慮して、内側縁部２０ｂを後車輪５の外周形状に略沿わせて形成している。
【００１７】
そして、後車輪カバー体２０は、枢軸２２,２２を中心に枢支アーム２１,２１を介して下部２０ａを外側方へ略水平位置まで開放させた非被覆姿勢に姿勢変更自在となしているため、同後車輪カバー体２０の下部２０ａはタイヤハウス１９内に進入する。そのため、本実施形態に係る後車輪カバー体２０には、図６に示すように、外方ステップ拡張体２７と内方ステップ拡張体２８とを設けており、外方ステップ拡張体２７は外方へ拡張させて前記側壁体１２,１３と張り出し幅が略同一となるようにすると共に、内方ステップ拡張体２８は内方に拡張させて開口された内側縁部２０ｂを閉塞することができるようにしている。すなわち、外方ステップ拡張体２７は、後車輪カバー体２０の先端縁部に前後方向に軸線を向けた枢支ピン２９を介して基端縁部を枢支して、後車輪カバー体２０と直交状態の収納姿勢（図６に示す一点鎖線）と、同後車輪カバー体２０と面一状態に外方へ拡張させた拡張姿勢（図６に示す実線）とに姿勢変更自在となしている。また、内方ステップ拡張体２８は、基端縁部を後車輪カバー体２０の内面壁に前後方向に軸線を向けた枢支ピン３０を介して基端縁部を枢支すると共に、中途部を中折れ状に折り畳み自在となしている。そして、内方ステップ拡張体２８は、折り畳み収納姿勢（図６に示す一点鎖線）と、後車輪カバー体２０と面一状態に内方へ拡張させた展開拡張姿勢（図６に示す実線）とに姿勢変更自在となしている。３１は中折れ枢支ピン、３２は固定係止ピン、３３は係止ピン受け体であり、折り畳み収納姿勢にて係止ピン受け体３３に固定係止ピン３２を係止させて収納姿勢を保持することができるようにしている。
【００１８】
このようにして、非被覆姿勢となした後車輪カバー体２０のステップ面積を大きく確保することができるようにしている。３４は取っ手兼閉蓋固定部である。
【００１９】
しかも、図１（ｃ）に示すように、開蓋姿勢の前記側壁体１２,１３の上面と非被覆姿勢の上記後車輪カバー体２０の上面は、略面一のステップ面１２ｂ,１３ｂ,２０ｃとなしている。このようにして、各ステップ面１２ｂ,１３ｂ,２０ｃへの移動が安全かつ楽に行えるようにしている。
【００２０】
図７は、他実施形態としての特装車両Ａであり、同特装車両Ａは、機体フレーム１の下部左右側に、前・後部の側壁体と後車輪カバー体とを一体化した一体的カバー体３５,３５を設けて、各一体的カバー体３５,３５を外側方へ開閉蓋自在となしている。３５ａはステップ面、３６は取っ手兼閉蓋固定部である。そして、タイヤハウス１９に位置する一体的カバー体３５の中途部には、図８に示すように、前記内方ステップ拡張体２８を設けて、同内方ステップ拡張体２８を折り畳み収納姿勢（図８に示す一点鎖線）と、後車輪カバー体２０と面一状態に内方へ拡張させた展開拡張姿勢（図８に示す実線）とに姿勢変更自在となしている。
【図面の簡単な説明】
【００２１】
【図１】（ａ）は本発明に係る特装車両の平面説明、（ｂ）は同特装車両の側面図、（ｃ）は同特装車両の後側下部の側面説明図。
【図２】枢支体の平面説明図。
【図３】枢支体の背面断面説明図。
【図４】後車輪カバー体の側面開閉説明図。
【図５】後車輪カバー体の平面展開拡張状態説明図。
【図６】後車輪カバー体の背面展開拡張状態説明図。
【図７】（ａ）は他実施形態としての特装車両の平面説明、（ｂ）は同特装車両の側面図、（ｃ）は同特装車両の後側下部の側面説明図。
【図８】一体的カバー体の背面展開拡張状態説明図。
【符号の説明】
【００２２】
Ａ  特装車両
１  車体フレーム
２  運転部
３  収容部
４  前車輪
５  後車輪
８  前下側収容部
９  後下側収容部
１２  側壁体
１３  側壁体
１２ｂ  ステップ面
１３ｂ  ステップ面
２０ｃ  ステップ面
【図１】
2010029538.tif 000003
【図２】
2010029538.tif 000004
【図３】
2010029538.tif 000005
【図４】
2010029538.tif 000006
【図５】
2010029538.tif 000007
【図６】
2010029538.tif 000008
【図７】
2010029538.tif 000009
【図８】
2010029538.tif 000010